(57)【要約】【課題】基準重量以外の単価が設定されても操作性を良くすることができる電子料金秤を提供すること。【解決手段】秤部を有する電子料金秤において、この単価種別設定手段Ａで設定された単価種別の単価を単価設定手段Ｂで設定し、この単価設定手段で設定された単価を基準重量当たりの単価に変換する変換手段Ｓ１２とを具備したことを特徴とする。【選択図】    図５
2004212299.tif 000002
【特許請求の範囲】
【請求項１】
秤部を有する電子料金秤において、
単価種別を設定する単価種別設定手段と、
この単価種別設定手段で設定された単価種別の単価を設定する単価設定手段と、
この単価設定手段で設定された単価を基準重量当たりの単価に変換する変換手段とを具備したことを特徴とする電子料金秤。
【請求項２】
秤部を有する電子料金秤において、
単価種別を設定する単価種別設定手段と、
この単価種別設定手段で設定された単価種別の単価を設定する単価設定手段と、
この単価設定手段で設定された単価を基準重量当たりの単価に変換する変換手段と、
登録モードにおいて前記変換手段により変換された基準重量当たりの単価を用いて値段を演算する演算手段とを具備したことを特徴とする電子料金秤。
【発明の詳細な説明】
【０００１】
【発明の属する技術分野】
本発明は、基準重量当たり単価、つまり例えば１００ｇ当たりの単価を設定可能である電子料金秤に関する。
【０００２】
【従来の技術】
電子料金秤がスーパーマーケット等において広く作用されている。このような電子料金秤においては、単位重量当りの単位、つまり例えば１００ｇ当りの単位を設定しておき、この設定した単位を呼び出して商品を計量して値段を算出するようになっている。この電子料金秤には、複数の国で使えるようにするためや２つの重量単位が用いられる国で使えるようにするため、ポンド／キログラム等の重量単位系を切り替えることができるものが知られている（特許文献１）。
【０００３】
電子料金秤の品番設定において、単価／値段を設定するモードがある。このモードにおいては、基準重量（通常１００ｇ）当たり単価が設定される。例えば、輸入商品などにおいては、ポンドの単位で値段が設定されている商品がある。
【０００４】
【特許文献１】
特開平８−３０４１５８号公報
【０００５】
【発明が解決しようとする課題】
このため、この商品を１００ｇ当たり単価が設定されている電子料金秤で販売する場合には、ポンドをキログラム単位系に単価変換する必要があった。例えば、１ポンド当り８．３ドル（１０００円）の商品であれば、１ｌｂ＝０．４５３５９０Ｋｇであるので、１００ｇ当たり単価は、８．３ドルを１０００円と換算した後、さらに１０００（円／ｌｂ）×１００（ｇ）／４５３．６（ｌｂ）＝２２０．４５（円／ｇ）を秤オペレータが電卓等で事前に計算してから、単価設定していた。このため、基準重量当たり以外の単価が設定されている商品の単価設定には、単価変換作業が伴うため煩わしかった。
【０００６】
本発明は上記の点に鑑みてなされたもので、その目的は、基準重量当たり以外の単価が設定されても操作性を良くすることができる電子料金秤を提供することにある。
【０００７】
【課題を解決するための手段】
本発明は、秤部を有する電子料金秤において、単価種別設定手段で設定された単価種別の単価を単価設定手段で設定し、この単価設定手段で設定された単価を変換手段により基準重量当たりの単価に変換するようにしている。
【０００８】
【発明の実施の形態】
以下図面を参照して本発明の一実施の形態について説明する。図２は電子料金秤のシステム構成を示すブロック図である。図において、１１は本電子料金秤を統括して制御するＣＰＵ（中央処理装置）である。このＣＰＵ１１からのシステムバス１１ａにはＲＯＭ（リード・オンリ・メモリ）１２、ＲＡＭ（ランダム・アクセス・メモリ）１３、ＰＬＵファィル１４、プリンタ１５、Ｌ／Ｃ（ロード／セル）１６、ＬＣＤ（液晶表示装置）１７、タッチパネル１８が接続されている。
【０００９】
ＲＯＭ１２には電子料金秤に必要な各種制御プログラムが記憶されている。
【００１０】
ＲＡＭ１３には各種フラグや作業領域が設けられている。
【００１１】
ＰＬＵファイル１４には図３に示すように、品番毎に「商品コード」、「品名」、「補助メッセージ１」、…、「第１単価種別（フラグ）」が記憶されている。
【００１２】
プリンタ１５はラベルを印刷するもので、例えばサーマルプリンタにより構成されている。
【００１３】
Ｌ／Ｃ１６は商品の計量を行う。
【００１４】
ＬＣＤ１７は図６〜図８に示すように各種設定画面等を表示する。
【００１５】
また、このＬＣＤ１７上にはタッチパネル１８が設けられている。ＬＣＤ１７に表示された表示部分をタッチするとタッチパネル１８により検知されてＣＰＵ１１にその操作信号が出力される。
【００１６】
図１は電子料金秤の斜視図である。図において、図２と同一部分には同一番号を付し、その詳細な説明については省略する。
【００１７】
図において、２１は電子料金秤の筐体である。この筐体２１の上面には計量すべき商品が載せられるのせ皿２２が設けられている。こののせ皿２２に載置された商品はＬ／Ｃ１６により計量される。
【００１８】
また、電子料金秤の筐体２１の前面端部には、プリンタ１５で印刷されたラベルが排出されるラベル発行口２３が設けられている。
【００１９】
次に、上記のように構成された本発明の一実施の形態について説明する。まず、電源をオンした後、ＬＣＤ１７にメインメニューを表示させた後、「設定」を選択し、「品番設定」を選択すると、図６に示すような品番設定画面がＬＣＤ１７に表示される。
【００２０】
図６に示すような品番設定画面がＬＣＤ１７に表示されている状態において、通常価格または第２価格の単価種別データエリアＡ（単価種別設定手段）をタッチすると、図７に示すような単価種別割付画面に切り換わる。この図７の単価種別割付画面において、計量（ｌｂ）をタッチすると、単価種別として「計量（ｌｂ）」が選択される。つまり、ＰＬＵファイル１４の第１単価、通常価格のフラグがポンドを意味するフラグとされる。
【００２１】
図６の品番設定画面においては、通常価格及び第２価格の単価種別としていずれも「計量（ｌｂ）」が選択されている状態を示している。
【００２２】
次に、図６のテンキー入力部１７ａを操作して単価を入力し、通常または第２価格の「単価／値段」のデータエリアＢ（単価設定手段）をタッチすると、図５のフローチャートによる処理が開始される。
【００２３】
まず、テンキー入力部１７ａから入力された単価が図６の単価／値段のデータエリアに表示される。この実施の形態では、「１０００円／ｌｂ」であるため、「１」「０」「０」「０」を入力しているので、図６の単価／値段のデータエリアに「１０００／ｌｂ」が表示される。このように１ｌｂ当たり単価が表示される（ステップＳ１１）。
【００２４】
次に、ステップＳ１で表示されたｌｂ単価を基準重量である１００ｇ当たり単価に変換して表示する処理がなされる（変換手段）（ステップＳ１２）。１ｌｂ単価を１００ｇ当たり単価への変更は下式により変換される。１ポンド＝０．４５３５９０Ｋｇであるため、
（ｌｂ単価）×１００／４５３．６＝（１００ｇ単価）
例えば、図６に示すように『単価／値段』として１０００／ｌｂを入力した場合には、
１０００×１００／４５３．６＝２２０．４５
この２２０．４５を切り捨てした『２２０円』が１００ｇ当たり単価として通常価格の単価／値段の欄にポンド単価と並んで表示される。
【００２５】
次に、品番ラベルを発行する処理について説明する。この場合には、メインメニューから「登録」モードを選択する。すると、図８に示すような登録モードの品番呼出画面が表示される。
【００２６】
そして、前述した１ポンド単価を入力した「牛肩ロース」を呼び出して、その「牛肩ロース」をのせ皿２２に載せて計量する。
【００２７】
その重さが２３５ｇであれば、（２３５／１００）×２２０＝５１７（円）という演算（演算手段）がＣＰＵ１１の制御下で行われ、その演算結果、つまり値段がＬＣＤ１７に表示される。
【００２８】
以上のように、単価種別としてｌｂ（ポンド）が選択されて１ポンド単価として１０００円／ｌｂが設定されると、自動的に基準重量である１００ｇ当たり単価が演算されて単価／値段として設定されるので、秤オペレータは１ポンド単価を１００ｇ単価に事前に変換する必要がなくなる。従って、操作性が向上する。
【００２９】
そして、実際に商品を計量して値段を算出する場合には、１００ｇ単価に基づいて計算を行って値段を算出している。
【００３０】
従って、単価設定時に基準重量以外のｌｂ単価であっても、それ以降の処理例えば登録モード処理においては、１００ｇ単価で処理するようにしたので、販売員は特に通常の１００ｇ単価が設定された商品と同様に処理することができるので、お客及び秤オペレータは、当初は１ｌｂ当たり単価が設定されたことを何も意識しないで電子料金秤を操作することができる。
【００３１】
また、ＰＬＵファイル１４に１ｌｂ当たり単価である単価種別を追加するだけであるので、特にＰＬＵファイル１４のメモリ容量を増やすことはない。
【００３２】
なお、上記した実施の形態では、基準重量当たり以外の単価として１ｌｂ当たり単価を説明したが、１ｌｂ当たり以外の基準重量であっても良い。例えば、７５ｇ当たり単価あるいは５０ｇ当たり単価を設定しても良い。仮に、７５ｇ当りの単価がＦ円である場合には、（Ｆ／７５）×１００なる演算式により１００ｇ当たり単価に変更するようにすれば良い。
【００３３】
【発明の効果】
以上詳述したように本発明によれば、基準重量当たり以外の単価が設定されても操作性を良くすることができる電子料金秤を提供することができる。
【図面の簡単な説明】
【図１】本発明の一実施の形態に係る電子料金秤の斜視図。
【図２】同実施の形態に係る電子料金秤のシステム構成を示す斜視図。
【図３】同実施の形態に係るＰＬＵファイルの構成を示す図。
【図４】同実施の形態に係る単価種別例を示す図。
【図５】同実施の形態に係る単価設定処理を示すフローチャート。
【図６】同実施の形態に係る単価設定モード表示例を示す図。
【図７】同実施の形態に係る単価種別表示例を示す図。
【図８】同実施の形態に係る登録モード表示例を示す図。
【符号の説明】
１１…ＣＰＵ、１２…ＲＯＭ、１３…ＲＡＭ、１５…プリンタ、１７…ＬＣＤ。
【図１】
2004212299.tif 000003
【図２】
2004212299.tif 000004
【図３】
2004212299.tif 000005
【図４】
2004212299.tif 000006
【図５】
2004212299.tif 000007
【図６】
2004212299.tif 000008
【図７】
2004212299.tif 000009
【図８】
2004212299.tif 000010